(57)【要約】      （修正有）【課題】濡れた傘を折り畳んで収納しても、水滴を漏れ出させることがない折り畳み傘の密閉ケースを提供する。【解決手段】折り畳み式の傘を内部に収めるケース本体と、上記ケース本体の開口部を閉じるキャップを備えた密閉ケースについて、ケース本体１１とキャップ１２をそれぞれの開口部にて嵌合し密閉状態とするために、ケース本体側の嵌合手段として嵌合部を設ける一方、上記嵌合部と嵌合可能な嵌合相手部をキャップ側に設け、キャップを開ける操作のために必要な最小限度の長さを有する結合部材１６を用いて、ケース本体とキャップをそれぞれの開口部近傍にて結合する。【選択図】図１
0003178206.tif 000002
【実用新案登録請求の範囲】
【請求項１】
折り畳み式の傘を内部に収めるケース本体と、上記ケース本体の開口部を閉じるキャップを備えた密閉ケースであって、
ケース本体とキャップをそれぞれの開口部にて嵌合し密閉状態とするために、ケース本体側の嵌合手段として嵌合部を設ける一方、上記嵌合部と嵌合可能な嵌合相手部をキャップ側に設け、
キャップを開ける操作のために必要な最小限度の長さを有する結合部材を用いて、ケース本体とキャップをそれぞれの開口部近傍にて結合したことを特徴とする
折畳み傘の密閉ケース。
【請求項２】
結合部材は、ケース本体とキャップのそれぞれの開口部の外周に形成された取り付け部にそれぞれ嵌め合わせる取り付けリングを有しており、上記取り付けリングは結合バンドによって一体化している
請求項１記載の折畳み傘の密閉ケース。
【請求項３】
ケース本体は、プラスチック又は軽量な金属を素材として形成されており、かつ、雨水の溜まる有底筒状の構造を有している請求項１又は２記載の折畳み傘の密閉ケース。
【請求項４】
嵌合部は、嵌合可能な雌雄構造の一方又は雌雄のネジの一方であり、嵌合相手部は、嵌合可能な雌雄構造の他方又は雌雄のネジの他方である
請求項１記載の折畳み傘の密閉ケース。
【考案の詳細な説明】
【技術分野】
【０００１】
本考案は、折り畳み式の傘を内部に収めるケース本体と、上記ケース本体の開口部を閉じるキャップを備えた密閉ケースに関するものである。
【背景技術】
【０００２】
折り畳み傘は嵩張らず、携帯時の負担が少ないという特徴があり、雨傘、日傘を問わず広く用いられている。しかし、傘が濡れている状態では折り畳みにくいので、閉じただけで電車等に乗り、また、店内等にも入ることにもなる。つまり、濡れた傘を単に閉じた状態では嵩張ったままで、それでは長い傘と変わらないが、濡れた傘を折り畳んで携帯することができれば、折り畳み傘はさらに使い易くなると思われる。
【０００３】
これに対して、先行技術を調査すると特開平７−１４３９０６号があり、柔軟な素材から成るカバー本体の内部に折畳み傘を収納し、傘に付着した雨水を内底部に設けた筒体で受け止める構成を開示している。しかし、カバー本体に折畳み傘を入れるためにスライドファスナーを開閉する方式であり、密閉されているとはいえないので水が滲み出す恐れがある。また、特開２００８−１８０６４号は、折畳み傘を折り畳んだ状態でも、また、折り畳まずに閉じただけの状態でも収納できる傘袋を開示しているが、撥水性を有するとはいえ布地から成る素材のため、完全に密閉されるとの保証はない。
【０００４】
折り畳み傘を収納するには、従来から傘袋が使用されてきたが、それは長い傘と同様に布製のものである。他方、折り畳み傘はその折り畳みという構造上、外力を受けると傘骨を変形させたり、或いはスムーズに開閉を行なえなくなったりするということがある。このため、輸送や店頭展示など販売するまでの段階で損傷をこうむることもあり、何らかの対策が必要と考えられる。
【０００５】
【特許文献１】特開平７−１４３９０６号
【特許文献２】特開２００８−１８０６４号
【考案の開示】
【考案が解決しようとする課題】
【０００６】
本考案は前記の実情に鑑みてなされたもので、その課題は、濡れた傘を折り畳んで収納しても、水滴を漏れ出させることがない折り畳み傘の密閉ケースを提供することである。また、本考案の他の課題は、折り畳み傘を保護し破損を防止する或る程度の剛性を備えた折り畳み傘の密閉ケースを提供することである。
【課題を解決するための手段】
【０００７】
前記の課題を解決するため、本考案は、折り畳み式の傘を内部に収めるケース本体と、上記ケース本体の開口部を閉じるキャップを備えた密閉ケースとして、ケース本体とキャップをそれぞれの開口部にて嵌合し密閉状態とするために、ケース本体側の嵌合手段として嵌合部を設ける一方、上記嵌合部と嵌合可能な嵌合相手部をキャップ側に設け、キャップを開ける操作のために必要な最小限度の長さを有する結合部材を用いて、ケース本体とキャップをそれぞれの開口部近傍にて結合した構成を有するものとするという手段を講じたものである。
【０００８】
本考案の折り畳み傘の密閉ケースには、濡れた傘を折り畳んで収納しても、水滴を漏れ出させないという目的がある。このため、本考案の密閉ケースは、折り畳み傘を保護し得るある程度の剛性と、外力が加わり一時的に変形しても、容易に原形に復元し得る弾性を有するものとする。ある程度の剛性とは、弾性変形が生じるまでの耐変形性という程度の意味であり、外力に完全に堪える必要はない。
【０００９】
ケース本体は雨水の溜まる有底筒状の構造を有している。またケース本体は、プラスチック又は軽量な金属を素材として形成することが望ましい。プラスチック素材としては、ＰＰ、ＡＢＳ、ＰＥＴ、ＡＳ、ＰＳなどが使用可能であり、金属としてはアルミニウム又はチタニウム等軽量な金属の合金、ステンレススチールなどが使用可能である。
【００１０】
上記ケース本体の開口部を閉じるキャップの嵌合手段として嵌合部を設ける一方、嵌合部と嵌合可能な嵌合相手部をキャップに設ける。上記の構成において、嵌合部は、嵌合可能な雌雄構造の一方又は雌雄のネジの一方とし、嵌合相手部は、嵌合可能な雌雄構造の他方又は雌雄のネジの他方とすることが望ましい。さらに密閉性が必要な場合には、どちらの場合でも、シール部材としてパッキング等を開口部周りに併用することができる。
【００１１】
そして、ケース本体とキャップとは、キャップを開ける操作のために必要な最小限度の長さを有する結合部材を用いて、それぞれの開口部近傍にて結合するものとする。結合部材としては、ケース本体とキャップのそれぞれの開口部の外周に形成された取り付け部にそれぞれ嵌め合わせる取り付けリングを有するとともに、上記取り付けリングは結合バンドによって一体化しているという構成のものが望ましい。
【００１２】
なお、現在市場に出回っている折り畳み傘の場合、長さが約２００〜３００ｍｍ、直径が約４０〜５０ｍｍとその大きさが概ね一定の範囲にあり、柄（ハンドル）の形状は様々であるとしても上記直径の範囲に収まるものが殆どである。このため、本考案による折畳み傘の密閉ケースも、その長さとして２００〜２５０ｍｍ、２５０〜３００ｍｍ、３００ｍｍ超の如く小型、中型及び大型の三種類程度を用意すれば良いことが分かる。
【考案の効果】
【００１３】
本考案は以上のように、ケース本体とキャップをそれぞれの開口部にて嵌合し密閉状態とするようにしたので、濡れた傘を折り畳んで収納しても、水滴が滲み出したり、漏れ出させたりすることがなく、何処ででも携帯性の良さを享受することができる。また、本考案によれば、ケース本体はプラスチック又は金属を素材として形成され、ある程度の剛性と弾性を備えているので、折り畳み傘を効果的に保護し、破損を防止することができるという効果を奏する。
【考案を実施するための最良の形態】
【００１４】
以下図示の実施形態を参照して本考案をより詳細に説明する。図１〜図６は本考案に係る例１の折畳み傘の密閉ケース１０を示すものであり、折り畳み式の傘Ｕを内部に収めるケース本体１１と、上記ケース本体１１の開口部１１ａを閉じるキャップ１２を備えている（図３参照）。ケース本体１１は折り畳み傘Ｕの傘部分がほぼ収まる有底筒状の細長い形態を有し、キャップ１２は折り畳み傘Ｕの主として柄（ハンドル）の部分を覆う長さの伏せた筒のような形態を有している。
【００１５】
また、ケース本体１１は、内部に収めた折り畳み傘Ｕがその外周に接触して受け止められるようにテーパー状に形成されるものとし、その底部１１ｂは雨水を溜める凹部として下方へ丸く突出した形状に形成されている。ケース本体１１は、後述する嵌合手段１３や結合部材１６の取り付け構造を設けるために開口部１１ａに近い部分で肉厚に形成されており、それによって開口部１１ａに近い部分の構造強度も高められる。ケース本体１１とキャップ１２はプラスチックを型成形したものから成り、例１のケース本体１１とキャップ１２には、ある程度の剛性と、弾性を併有しているプラスチック製品として、例えば、ポリエチレンをベース材とした押し出しチューブまたはポリエチレンのブロー成型品が用いられる。
【００１６】
上記ケース本体１１とキャップ１２をそれぞれの開口部１１ａ、１２ａにて嵌合し、密閉状態とするために、ケース本体側の嵌合手段１３として嵌合部１４を設ける一方、上記嵌合部１４と嵌合可能な嵌合相手部１５をキャップ側に設けている。例１における嵌合手段１３はいわゆる雌雄の嵌合であり、ケース本体１１の開口部１１ａを雄側とし、キャップ１２の開口部１２ａを雌側として構成されている。
【００１７】
例１において、雄側の嵌合部１４は先端部が上方に突き出した突部になっており、雌側の嵌合相手部１５は上記突部を受け入れる溝部になっている。また、ケース本体１１の開口側の外周に凹溝１１ｃが設けてあり、キャップ１２の開口側の内周には突条１２ｃが設けてあり、凹溝１１ｃと突条１２ｃが嵌合して抜け止めとなっている。上記の雌雄嵌合構造により、十分な密閉性のあるものとなるが、さらに密閉性が必要な場合には、シール部材としてパッキング等を開口部周りに併用する。その場合において、パッキング等は嵌合相手部１５の溝部に配置することができる（図５参照）。
【００１８】
上記ケース本体１１とキャップ１２とは、キャップ１２を開ける操作のために必要な程度の長さを有する結合部材１６を用いて、ケース本体１１とキャップ１２の開口部近傍にて結合されている。結合部材１６は、ケース本体１１とキャップ１２にそれぞれ嵌め合わせる取り付けリング１７、１８を有するとともに、上記取り付けリング１７、１８は結合バンド１９によって一体化している。上記取り付けリング１７、１８は、ケース本体１１及びキャップ１２のそれぞれの開口部１１ａ、１２ａの外周に形成された取り付け部１７ａ、１８ａに嵌め込まれて、自由に回転可能である。なお、結合バンド１９は、キャップ１２が柄（ハンドル）を迂回し得る長さがあれば良い。
【００１９】
従って、これらのケース本体１１、キャップ１２は、それぞれの開口部１１ａ、１２ａを嵌め合わせて閉じれば、嵌合手段１３にて雌雄嵌合するので、内部が外部と完全に遮断された密閉ケースとなる（図６参照）。ケース本体１１はテーパー状に形成されており、内部に収めた折り畳み傘Ｕが、その外周にてテーパー状内面に接触して受け止められ、また、濡れた傘に付着している水気は、ケース本体１１の底部１１ｂの凹部に溜まるように設けられている。故に、密閉ケース１０に折り畳み傘Ｕを収めることで、傘に付着している水気は完全に閉じ込められ、外部に滲み出したり漏れ出したりすることはない。
【００２０】
図７、図８は本考案の例２の折畳み傘の密閉ケース２０を示すもので、折り畳み式の傘Ｕを内部に収めるケース本体１１と、上記ケース本体２１の開口部２１ａを閉じるキャップ２２を備えている。例２は、嵌合手段２３として、嵌合部２４を、嵌合可能な雌雄構造の一方である雄ネジとし、嵌合相手部２５は、嵌合可能な雌雄構造の他方である雌ネジとしたもので、他の構成は例１と同様で良いので詳細な説明は省略し、以下の略記に留め
る。
【００２１】
即ち、例２において、符号２６は結合部材で、ケース本体２１とキャップ２２にそれぞれ嵌め合わせる取り付けリング２７、２８を有するとともに、上記取り付けリング２７、２８は結合バンド２９によって一体化している。上記取り付けリング２７、２８は、開口部２１ａ、２２ａの外周に形成された取り付け部２７ａ、２８ａに、自由に回転可能に嵌め込まれている。また、２１ｂはキャップ内の底部、２２ａはキャップ側開口部を示している。
【００２２】
例２の折畳み傘の密閉ケース２０の場合、使用上例１と異なるのは、キャップ２２をケース本体２１に嵌合し、また、嵌合状態にあるキャップ２２をケース本体２１から取り外すためにネジ込みとそれを緩める操作をすることである。よって、ケース本体２１とキャップ２２及びその嵌合手段２３の密閉性により水気をケース内部に閉じ込める作用が得られることは、例１の場合と全く同様である。
【００２３】
さらに、図９以下を参照して本考案の例３の密閉ケース３０を説明する。例３の密閉ケース３０は、より柔軟な構造を有している点において前二例と相違するもので、そのために、ケース本体３１とキャップ３２を扁平な構造とし、より自由な折り曲げを可能にしている。また、例３の密閉ケース３０は、例えば、折り曲げに適した柔軟性を有する、ポリエチレンをベース材とした押し出しチューブ、またはポリエチレンのブロー成型品等のソフトプラスチック製品により形成される。例３の場合、例１及び２と比較して密閉ケースはより弱い力で変形し得るが、弾性変形が生じるまでの耐変形性と材料の厚みにより、折り畳み傘Ｕを十分に保護し得る。
【００２４】
図９以下に見られるように、ケース本体３１とキャップ３２は、それぞれの開口部３１ａ、３２ａにおいて、前二例と同様に円形の横断面形状を有しており、かつまた、所要の密閉状態とするために、嵌合手段３３としてケース本体側に嵌合部３４を設ける一方、嵌合部３４と嵌合可能な嵌合相手部３５をキャップ側に設けている。なお、例３における嵌合手段３３は例１と同じく雌雄嵌合で、ケース本体３１の開口側の外周に凹溝３１ｄが設けてあり、キャップ３２の開口側の内周には突条３２ｄが設けてあり、凹溝３１ｄと突条１２ｄが嵌合して抜け止めとなる。ある。なお、前二例と共通の部分については詳細な説明は省略し、以下の略記に留める。
【００２５】
即ち、例３において、符号３６は結合部材で、ケース本体３１とキャップ３２にそれぞれ嵌め合わせる取り付けリング３７、３８を有するとともに、上記取り付けリング３７、３８は結合バンド３９によって一体化している。上記取り付けリング３７、３８は、開口部３１ａ、３２ａの外周に形成された取り付け部３７ａ、３８ａに、自由に回転可能に嵌め込まれている。３１ｂはキャップ内の底部、３１ｃ、３２ｃは扁平部であり、ケース本体３１及びキャップ３２の端部に設けられている。
【００２６】
例３では、ケース３０の内部に折り畳み傘Ｕを収めると、ケース本体３１の扁平部３１ｃ及びキャップ３２の扁平部３２ｃが折り畳み傘Ｕの形状に応じて膨らむことになる（図１２Ａの鎖線図示参照）。しかし、ケース本体３１とキャップ３２及び嵌合手段３３の密閉性によって、水気をケース内部に閉じ込められることは、前二例と同様である。例３の場合は、不使用時にケース３０を折り曲げることができるので（図１２Ｂ参照）、携帯の邪魔になる恐れが少なく、さらに好都合である。
【００２７】
本考案はこのように構成されているので、まず、折り畳み傘Ｕを店頭販売するまでのケースとして使用することができ、また、購入後には、折り畳み傘Ｕを密閉収納する携帯用のケースとして好適であり、携帯性を高めるために、ケース本体１１に、公知の吊り下げ手段を取り付けることができる。なお、装飾等を目的として、ケース本体１１及びキャップ１２に、着色や絵柄や図柄等の柄付け等を施すことも勿論可能である。特に、柄付けとして、シルクスクリーン印刷、フィルム転写等の印刷手段により、ケース本体１１及びキャップ１２の外面にプリントを施すことができる。
【図面の簡単な説明】
【００２８】
【図１】本考案に係る折畳み傘の密閉ケースの例１を示す斜視図である。
【図２】同じく縦断面図である。
【図３】同じくキャップを外した状態を示す断面図である。
【図４】結合部材の一例を示すもので、Ａは全体の平面図、Ｂは拡大して示した斜視図、Ｃは同じく拡大して示した平面図である。
【図５】同じく嵌合手段及び結合部材の部分を拡大して示す断面図である。
【図６】同じく使用状態を示す断面図である。
【図７】本考案に係る折畳み傘の密閉ケースの例２を示す断面図である。
【図８】同じくキャップを外した状態を示す断面図である。
【図９】本考案に係る折畳み傘の密閉ケースの例３を示す断面図である。
【図１０】同じく使用状態を示すもので、キャップを開いた状態示す断面図である。
【図１１】同じく使用状態を示すもので、キャップを閉じた状態示す断面図である。
【図１２】同じく使用状態を示すもので、Ａは折り畳み傘を収めた使用時の状態、Ｂはケースの両端を曲げた不使用時の状態を示す側面図である。
【符号の説明】
【００２９】
１０、２０、３０  折畳み傘の密閉ケース
１１、２１、３１  ケース本体
１２、２２、３２  キャップ
１３、２３、３３  嵌合手段
１４、２４、３４  嵌合部
１５、２５、３５  嵌合相手部
１６、２６、３６  結合部材
１７、２７、３７  取り付けリング
１８、２８、３８  取り付けリング
１９、２９、３９  結合バンド
Ｕ  折り畳み傘
【図１】
0003178206.tif 000003
【図２】
0003178206.tif 000004
【図３】
0003178206.tif 000005
【図４】
0003178206.tif 000006
【図５】
0003178206.tif 000007
【図６】
0003178206.tif 000008
【図７】
0003178206.tif 000009
【図８】
0003178206.tif 000010
【図９】
0003178206.tif 000011
【図１０】
0003178206.tif 000012
【図１１】
0003178206.tif 000013
【図１２】
0003178206.tif 000014